【手続補正書】
【提出日】平成15年12月11日(2003.12.11)
【手続補正１】
【補正対象書類名】明細書
【補正対象項目名】特許請求の範囲
【補正方法】変更
【補正の内容】
【特許請求の範囲】
【請求項１】
第１基板上に互いに平行に配置され、それらの間に維持放電が行われる第１および第２の電極と、
該第１および第２の電極と離間して交差するように上記第１基板と対向する第２基板上に配置され、上記第１および第２の電極との交差部付近に放電セルを規定する第３の電極とを備えるプラズマディスプレイを駆動する方法であって、
上記放電セルにおける書込状態が生じる第１の電圧、または上記放電セルにおける書込状態が生じない第２の電圧のいずれかの電圧を上記第２の電極と上記第３の電極との間に選択的に印加することにより上記各放電セルの書込状態または非書込状態のいずれかを設定するためのアドレス動作に先だって、
上記第２の電圧と同等の電圧値に到達するまで、その電圧値が緩やかに変化する電圧を上記第２の電極と上記第３の電極との間に印加して、当該第２の電極と上記第３の電極との間に微弱な放電を発生することを特徴とするプラズマディスプレイの駆動方法。
【請求項２】
維持放電の期間における第１および第２の電極に交互に印加される維持電圧は、当該維持放電の期間における第３の電極に印加される電圧に比して正の極性であると共に、
アドレス動作に先立って上記第２の電極と上記第３の電極との間に印加される電圧値が緩やかに変化する電圧は、当該緩やかに変化する電圧の印加される期間における上記第３の電極に印加される電圧に比して負の極性であることを特徴とする請求項１に記載のプラズマディスプレイの駆動方法。
【請求項３】
第１基板上に互いに平行に配置され、それらの間に維持放電が行われる第１および第２の電極、および、
該第１および第２の電極と離間して交差するように上記第１基板と対向する第２基板上に配置され、上記第１および第２の電極との交差部付近に放電セルを規定する第３の電極を備えるプラズマディスプレイと、
該プラズマディスプレイを駆動する駆動部とを備える表示装置であって、
上記駆動部は、
上記放電セルにおける書込状態が生じる第１の電圧、または上記放電セルにおける書込状態が生じない第２の電圧のいずれかの電圧を上記第２の電極と上記第３の電極との間に選択的に印加することにより上記各放電セルの書込状態または非書込状態のいずれかを設定するためのアドレス動作に先だって、
上記第２の電圧と同等の電圧値に到達するまで、その電圧値が緩やかに変化する電圧を上記第２の電極と上記第３の電極との間に印加して、当該第２の電極と上記第３の電極との間に微弱な放電を発生する駆動出力を行うことを特徴とする表示装置。
【請求項４】
駆動部は、
維持放電の期間における第１および第２の電極に交互に印加される維持電圧は、当該維持放電の期間における第３の電極に印加される電圧に比して正の極性であると共に、
アドレス動作に先立って上記第２の電極と上記第３の電極との間に印加される電圧値が緩やかに変化する電圧は、当該緩やかに変化する電圧の印加される期間における上記第３の電極に印加される電圧に比して負の極性である各電圧を出力することを特徴とする請求項３に記載の表示装置。
【手続補正２】
【補正対象書類名】明細書
【補正対象項目名】００２８
【補正方法】変更
【補正の内容】
【００２８】
【課題を解決するための手段】
この発明においては、上記のような問題点を解決するために、第１基板上に互いに平行に配置され、それらの間に維持放電が行われる第１および第２の電極と、該第１および第２の電極と離間して交差するように上記第１基板と対向する第２基板上に配置され、上記第１および第２の電極との交差部付近に放電セルを規定する第３の電極とを備えるプラズマディスプレイを駆動する方法であって、上記放電セルにおける書込状態が生じる第１の電圧、または上記放電セルにおける書込状態が生じない第２の電圧のいずれかの電圧を上記第２の電極と上記第３の電極との間に選択的に印加することにより上記各放電セルの書込状態または非書込状態のいずれかを設定するためのアドレス動作に先だって、上記第２の電圧と同等の電圧値に到達するまで、その電圧値が緩やかに変化する電圧を上記第２の電極と上記第３の電極との間に印加して、当該第２の電極と上記第３の電極との間に微弱な放電を発生することを特徴とする。
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】０１１８
【補正方法】変更
【補正の内容】
【０１１８】
【発明の効果】
この発明によれば、第１基板上に互いに平行に配置され、それらの間に維持放電が行われる第１および第２の電極と、該第１および第２の電極と離間して交差するように上記第１基板と対向する第２基板上に配置され、上記第１および第２の電極との交差部付近に放電セルを規定する第３の電極とを備えるプラズマディスプレイを駆動する方法であって、上記放電セルにおける書込状態が生じる第１の電圧、または上記放電セルにおける書込状態が生じない第２の電圧のいずれかの電圧を上記第２の電極と上記第３の電極との間に選択的に印加することにより上記各放電セルの書込状態または非書込状態のいずれかを設定するためのアドレス動作に先だって、上記第２の電圧と同等の電圧値に到達するまで、その電圧値が緩やかに変化する電圧を上記第２の電極と上記第３の電極との間に印加して、当該第２の電極と上記第３の電極との間に微弱な放電を発生することを特徴とするので、第３の電極上に蓄積された蓄積電荷を確実に消去することが可能で、これによって、消去動作後のアドレス動作を確実に行うことが可能である。
【手続補正１５】
【補正対象書類名】明細書
【補正対象項目名】０１１９
【補正方法】削除
【補正の内容】
【手続補正１６】
【補正対象書類名】明細書
【補正対象項目名】０１２０
【補正方法】削除
【補正の内容】
【手続補正１７】
【補正対象書類名】明細書
【補正対象項目名】０１２１
【補正方法】削除
【補正の内容】
【手続補正１８】
【補正対象書類名】明細書
【補正対象項目名】０１２２
【補正方法】削除
【補正の内容】
【手続補正１９】
【補正対象書類名】明細書
【補正対象項目名】０１２３
【補正方法】削除
【補正の内容】
【手続補正２０】
【補正対象書類名】明細書
【補正対象項目名】０１２４
【補正方法】削除
【補正の内容】
【手続補正２１】
【補正対象書類名】明細書
【補正対象項目名】０１２５
【補正方法】削除
【補正の内容】
【手続補正２２】
【補正対象書類名】明細書
【補正対象項目名】０１２６
【補正方法】削除
【補正の内容】
【手続補正２３】
【補正対象書類名】明細書
【補正対象項目名】０１２７
【補正方法】削除
【補正の内容】
【手続補正２４】
【補正対象書類名】明細書
【補正対象項目名】０１２８
【補正方法】削除
【補正の内容】
【手続補正２５】
【補正対象書類名】明細書
【補正対象項目名】０１２９
【補正方法】削除
【補正の内容】